(57)【要約】基地局装置から無線受信装置に送信される４相ＰＳＫで変調された信号に含まれるＳｔｅａｌｉｎｇ−Ｆｌａｇについて、無線受信装置におけるＳｔｅａｌｉｎｇ−Ｆｌａｇの硬判定の判定精度を高めるＴＳＭ方式の無線通信方法、並びにこの方法で使用される無線通信システム等を開示する。この装置において、硬判定部（１１６）は、前回のＳｐｅｅｃｈ−ＦｒａｍｅのＳｔｅａｌｉｎｇ−Ｆｌａｇについての硬判定値が存在しないと見なされるときには、今回のＳｐｅｅｃｈ−ＦｒａｍｅのＳｔｅａｌｉｎｇ−Ｆｌａｇについての軟判定値を４相ＰＳＫで４つの候補のいずれかに硬判定する一方、前回のＳｐｅｅｃｈ−ＦｒａｍｅのＳｔｅａｌｉｎｇ−Ｆｌａｇについての硬判定値が存在すると見なされるときには、その硬判定値に応じて今回のＳｐｅｅｃｈ−ＦｒａｍｅのＳｔｅａｌｉｎｇ−Ｆｌａｇについての軟判定値を２相ＰＳＫで２つの候補のいずれかに硬判定する。
2005022857.tif 000002
【特許請求の範囲】
【請求項１】
４相ＰＳＫで変調された信号を送信する送信ステップと、
送信された前記信号を受信する受信ステップと、
前記受信ステップにおける受信信号を復調する復調ステップと、
復調された前記受信信号に含まれるＳｔｅａｌｉｎｇ−ＦｌａｇをＳｐｅｅｃｈ−Ｆｒａｍｅ毎に軟判定する軟判定ステップと、
前回の前記Ｓｐｅｅｃｈ−Ｆｒａｍｅの前記Ｓｔｅａｌｉｎｇ−Ｆｌａｇについての硬判定値が存在しないと見なされるときには、今回の前記Ｓｐｅｅｃｈ−Ｆｒａｍｅについての前記軟判定ステップにおける軟判定値を４相ＰＳＫで４つの候補のいずれかに硬判定する第１の硬判定ステップと、
前回の前記Ｓｐｅｅｃｈ−Ｆｒａｍｅの前記Ｓｔｅａｌｉｎｇ−Ｆｌａｇについての前記硬判定値が存在すると見なされるときには、前記硬判定値に応じて今回の前記Ｓｐｅｅｃｈ−Ｆｒａｍｅについての前記軟判定ステップにおける前記軟判定値を２相ＰＳＫで２つの候補のいずれかに硬判定する第２の硬判定ステップと、
前記第１の硬判定ステップ又は前記第２の硬判定ステップにおける今回の前記Ｓｐｅｅｃｈ−Ｆｒａｍｅの前記Ｓｔｅａｌｉｎｇ−Ｆｌａｇについての前記硬判定値に応じて今回の前記Ｓｐｅｅｃｈ−Ｆｒａｍｅの前記受信信号を復号する復号ステップと、
を具備するＴＳＭ方式の無線通信方法。
【請求項２】
前記ＴＳＭ方式が回線交換モードの場合において、
前記第２の硬判定ステップでは、前回の前記Ｓｐｅｅｃｈ−Ｆｒａｍｅにおける前記Ｓｔｅａｌｉｎｇ−Ｆｌａｇについての前記硬判定値のビットパターンが「００」のときには、今回の前記Ｓｐｅｅｃｈ−Ｆｒａｍｅの前記Ｓｔｅａｌｉｎｇ−Ｆｌａｇについての前記軟判定値を前記ビットパターン「００」又は「０１」のいずれかに２相ＰＳＫで硬判定し、
また前回の前記Ｓｐｅｅｃｈ−Ｆｒａｍｅにおける前記Ｓｔｅａｌｉｎｇ−Ｆｌａｇについての前記硬判定値の前記ビットパターンが「０１」のときには、今回の前記Ｓｐｅｅｃｈ−Ｆｒａｍｅの前記Ｓｔｅａｌｉｎｇ−Ｆｌａｇについての前記軟判定値を前記ビットパターン「１０」又は「１１」のいずれかに２相ＰＳＫで硬判定し、
また前回の前記Ｓｐｅｅｃｈ−Ｆｒａｍｅにおける前記Ｓｔｅａｌｉｎｇ−Ｆｌａｇについての前記硬判定値の前記ビットパターンが「１０」のときには、今回の前記Ｓｐｅｅｃｈ−Ｆｒａｍｅの前記Ｓｔｅａｌｉｎｇ−Ｆｌａｇについての前記軟判定値を前記ビットパターン「００」又は「０１」のいずれかに２相ＰＳＫで硬判定し、
また前回の前記Ｓｐｅｅｃｈ−Ｆｒａｍｅにおける前記Ｓｔｅａｌｉｎｇ−Ｆｌａｇについての前記硬判定値の前記ビットパターンが「１１」のときには、今回の前記Ｓｐｅｅｃｈ−Ｆｒａｍｅの前記Ｓｔｅａｌｉｎｇ−Ｆｌａｇについての前記軟判定値を前記ビットパターン「１０」又は「１１」のいずれかに２相ＰＳＫで硬判定する、
請求の範囲第１項記載のＴＳＭ方式の無線通信方法。
【請求項３】
復号された前記受信信号に対して前記Ｓｐｅｅｃｈ−Ｆｒａｍｅ毎に誤り検出する誤り検出ステップを具備し、
前記誤り検出ステップにおいて前回の前記Ｓｐｅｅｃｈ−Ｆｒａｍｅの前記受信信号に誤りが検出されたときに、前回の前記Ｓｐｅｅｃｈ−Ｆｒａｍｅの前記Ｓｔｅａｌｉｎｇ−Ｆｌａｇについての前記硬判定値が存在しないと見なして、前記第１の硬判定ステップにより、今回の前記Ｓｐｅｅｃｈ−Ｆｒａｍｅの前記Ｓｔｅａｌｉｎｇ−Ｆｌａｇについての前記軟判定ステップにおける前記軟判定値を４相ＰＳＫで４つの候補のいずれかに硬判定する、請求の範囲第１項記載のＴＳＭ方式の無線通信方法。
【請求項４】
前記ＴＳＭ方式が回線交換モードの場合において、
前記送信ステップでは、前記Ｓｔｅａｌｉｎｇ−Ｆｌａｇの前記ビットパターン「０１」と「１１」とが入れ替えられて４相ＰＳＫで変調された前記信号を送信し、
前記第２の硬判定ステップでは、前回の前記Ｓｐｅｅｃｈ−Ｆｒａｍｅにおける前記Ｓｔｅａｌｉｎｇ−Ｆｌａｇについての前記硬判定値の前記ビットパターンが「００」のときには、今回の前記Ｓｐｅｅｃｈ−Ｆｒａｍｅの前記Ｓｔｅａｌｉｎｇ−Ｆｌａｇについての前記軟判定値を前記ビットパターン「００」又は「１１」のいずれかに２相ＰＳＫで硬判定し、
また前回の前記Ｓｐｅｅｃｈ−Ｆｒａｍｅにおける前記Ｓｔｅａｌｉｎｇ−Ｆｌａｇについての前記硬判定値の前記ビットパターンが「０１」のときには、今回の前記Ｓｐｅｅｃｈ−Ｆｒａｍｅの前記Ｓｔｅａｌｉｎｇ−Ｆｌａｇについての前記軟判定値を前記ビットパターン「１０」又は「０１」のいずれかに２相ＰＳＫで硬判定し、
また前回の前記Ｓｐｅｅｃｈ−Ｆｒａｍｅにおける前記Ｓｔｅａｌｉｎｇ−Ｆｌａｇについての前記硬判定値の前記ビットパターンが「１０」のときには、今回の前記Ｓｐｅｅｃｈ−Ｆｒａｍｅの前記Ｓｔｅａｌｉｎｇ−Ｆｌａｇについての前記軟判定値を前記ビットパターン「００」又は「１１」のいずれかに２相ＰＳＫで硬判定し、
また前回の前記Ｓｐｅｅｃｈ−Ｆｒａｍｅにおける前記Ｓｔｅａｌｉｎｇ−Ｆｌａｇについての前記硬判定値の前記ビットパターンが「１１」のときには、今回の前記Ｓｐｅｅｃｈ−Ｆｒａｍｅの前記Ｓｔｅａｌｉｎｇ−Ｆｌａｇについての前記軟判定値を前記ビットパターン「１０」又は「０１」のいずれかに２相ＰＳＫで硬判定する、
請求の範囲第１項記載のＴＳＭ方式の無線通信方法。
【請求項５】
４相ＰＳＫで変調された信号を送信する送信手段を備える基地局装置と、
送信された前記信号を受信する受信手段と、受信信号を復調する復調手段と、復調された前記受信信号に含まれるＳｔｅａｌｉｎｇ−ＦｌａｇをＳｐｅｅｃｈ−Ｆｒａｍｅ毎に軟判定する軟判定手段と、前回の前記Ｓｐｅｅｃｈ−Ｆｒａｍｅの前記Ｓｔｅａｌｉｎｇ−Ｆｌａｇについての硬判定値が存在しないと見なされるときには、今回の前記Ｓｐｅｅｃｈ−Ｆｒａｍｅの前記Ｓｔｅａｌｉｎｇ−Ｆｌａｇについての前記軟判定手段による軟判定値を４相ＰＳＫで４つの候補のいずれかに硬判定し、或いは前回の前記Ｓｐｅｅｃｈ−Ｆｒａｍｅの前記Ｓｔｅａｌｉｎｇ−Ｆｌａｇについての前記硬判定値が存在すると見なされるときには、前記硬判定値に応じて今回の前記Ｓｐｅｅｃｈ−Ｆｒａｍｅの前記Ｓｔｅａｌｉｎｇ−Ｆｌａｇについての前記軟判定手段による前記軟判定値を２相ＰＳＫで２つの候補のいずれかに硬判定する硬判定手段と、今回の前記Ｓｐｅｅｃｈ−Ｆｒａｍｅの前記Ｓｔｅａｌｉｎｇ−Ｆｌａｇについての前記硬判定値に応じて今回の前記Ｓｐｅｅｃｈ−Ｆｒａｍｅの前記受信信号を復号する復号手段と、を備える無線受信装置と、
を具備するＴＳＭ方式の無線通信システム。
【請求項６】
４相ＰＳＫで変調された信号を受信する受信手段と、
受信信号を復調する復調手段と、
復調された前記受信信号に含まれるＳｔｅａｌｉｎｇ−ＦｌａｇをＳｐｅｅｃｈ−Ｆｒａｍｅ毎に軟判定する軟判定手段と、
前回の前記Ｓｐｅｅｃｈ−Ｆｒａｍｅの前記Ｓｔｅａｌｉｎｇ−Ｆｌａｇについての硬判定値が存在しないと見なされるときには、今回の前記Ｓｐｅｅｃｈ−Ｆｒａｍｅの前記Ｓｔｅａｌｉｎｇ−Ｆｌａｇについての前記軟判定手段による軟判定値を４相ＰＳＫで４つの候補のいずれかに硬判定し、或いは前回の前記Ｓｐｅｅｃｈ−Ｆｒａｍｅの前記Ｓｔｅａｌｉｎｇ−Ｆｌａｇについての前記硬判定値が存在すると見なされるときには、前記硬判定値に応じて今回の前記Ｓｐｅｅｃｈ−Ｆｒａｍｅの前記Ｓｔｅａｌｉｎｇ−Ｆｌａｇについての前記軟判定手段による前記軟判定値を２相ＰＳＫで２つの候補のいずれかに硬判定する硬判定手段と、
今回の前記Ｓｐｅｅｃｈ−Ｆｒａｍｅの前記Ｓｔｅａｌｉｎｇ−Ｆｌａｇについての前記硬判定値に応じて今回の前記Ｓｐｅｅｃｈ−Ｆｒａｍｅの前記受信信号を復号する復号手段と、
を具備するＴＳＭ方式の無線受信装置。
【請求項７】
復号された前記受信信号に対して前記Ｓｐｅｅｃｈ−Ｆｒａｍｅ毎に誤り検出する誤り検出手段を具備し、
前記誤り検出手段において前回の前記Ｓｐｅｅｃｈ−Ｆｒａｍｅに誤りが検出されたときに、前回の前記Ｓｐｅｅｃｈ−Ｆｒａｍｅの前記Ｓｔｅａｌｉｎｇ−Ｆｌａｇについての前記硬判定値が存在しないと見なして、前記硬判定手段により、今回の前記Ｓｐｅｅｃｈ−Ｆｒａｍｅの前記Ｓｔｅａｌｉｎｇ−Ｆｌａｇについての前記軟判定手段による前記軟判定値を４相ＰＳＫで４つの候補のいずれかに硬判定する、
請求の範囲第６項記載のＴＳＭ方式の無線受信装置。
【請求項８】
ＴＳＭ方式が回線交換モードの場合において、
Ｓｔｅａｌｉｎｇ−Ｆｌａｇのビットパターン「０１」と「１１」とを入れ替えるＳｔＦ入替手段と、
前記ビットパターンの入れ替えられた信号を４相ＰＳＫで変調する変調手段と、
変調された前記信号を送信する送信手段と、
を具備するＴＳＭ方式の基地局装置。
【発明の詳細な説明】
【技術分野】  本発明は、ＴＳＭ（ＴＤ−ＳＣＤＭＡ（Ｔｉｍｅ−Ｄｉｖｉｓｉｏｎ  Ｓｙｎｃｈｒｏｎｏｕｓ  ＣＤＭＡ）Ｓｙｓｔｅｍ  ｆｏｒ  Ｍｏｂｉｌｅ  Ｃｏｍｍｕｎｉｃａｔｉｏｎ）方式の無線通信方法、並びにこの方法で使用する無線通信システム、無線受信装置及び基地局装置に関する。
【背景技術】  ＴＤ−ＳＣＤＭＡは、中国がＩＴＵ（Ｉｎｔｅｒｎａｔｉｏｎａｌ  Ｔｅｌｅｃｏｍｍｕｎｉｃａｔｉｏｎ  Ｕｎｉｏｎ）に提案した移動無線通信方式である。ＴＤ−ＳＣＤＭＡには２つの方式が存在し、一つは中国のＣＣＳＡ（Ｃｈｉｎａ  Ｃｏｍｍｕｎｉｃａｔｉｏｎｓ  Ｓｔａｎｄａｒｄｓ  Ａｓｓｏｃｉａｔｉｏｎ）で標準化仕様を策定しているＴＤ−ＳＣＤＭＡのエアインタフェースとＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）のネットワークとを用いるＴＳＭ方式であり（例えば、″Ｃｈｉｎａ  Ｗｉｒｅｌｅｓｓ  Ｔｅｌｅｃｏｍｍｕｎｉｃａｔｉｏｎ  Ｓｔａｎｄａｒｄ；３Ｇ  ｄｉｇｉｔａｌ  ｃｅｌｌｕｌａｒ  ｔｅｌｅｃｏｍｍｕｎｉｃａｔｉｏｎｓ  ｓｙｓｔｅｍ；Ｍｕｌｔｉｐｌｅｘｉｎｇ  ａｎｄ  ｍｕｌｔｉｐｌｅ  ａｃｃｅｓｓ  ｏｎ  ｔｈｅ  ｒａｄｉｏ  ｐａｔｈ（Ｒｅｌｅａｓｅ  ３）″，ＣＷＴＳ  ＴＳＭ  ０５．０２  ｖ  ３．１．０，２００２．１２（以下、非特許文献１という）を参照）、もう一つは３ＧＰＰ（３ｒｄ  Ｇｅｎｅｒａｔｉｏｎ  Ｐａｒｔｎｅｒｓｈｉｐ  Ｐｒｏｊｅｃｔ）で標準化仕様を策定しているＴＤ−ＳＣＤＭＡのエアインタフェースと３ＧＰＰのネットワークとを用いるＬＣＲ（Ｌａｗ  Ｃｈｉｐ  Ｒａｔｅ）ＴＤＤ（Ｔｉｍｅ  Ｄｉｖｉｓｉｏｎ  Ｄｕｐｌｅｘ）方式である。
ＴＳＭ方式では、回線交換（ＣＳ：Ｃｉｒｃｕｉｔ  Ｓｗｉｔｃｈｉｎｇ）モードにおいてトラフィックチャネル（ＴＣＨ（Ｔｒａｆｆｉｃ  ＣＨａｎｎｅｌ）−Ｔ）での通信中に、基地局装置等が無線受信装置等に対してハンドオーバー等の緊急制御情報を送信するときには、特定の区間ＦＡＣＣＨ（Ｆａｓｔ，ＴＣＨ  Ａｓｓｏｃｉａｔｅｄ，Ｃｏｎｔｒｏｌ  ＣＨａｎｎｅｌ）−ＴでＴＣＨ−Ｔを乗っ取る（以下、この乗っ取りを「Ｓｔｅａｌｉｎｇ」と表記することがある）。
図１に、ＴＳＭ方式におけるＦＡＣＣＨ−ＴによるＴＣＨ−Ｔの２Ｓｐｅｅｃｈ−Ｆｒａｍｅ分のＳｔｅａｌｉｎｇの例を示す。ＴＳＭ方式では、ＴＣＨ−Ｔ／ＥＦＳ（Ｅｎｈａｎｃｅｄ  ｆｕｌｌ  ｒａｔｅ  ｔｒａｆｆｉｃ  ｃｈａｎｎｅｌ  ｆｏｒ  １２．２ｋｂｉｔ／ｓ  ｓｐｅｅｃｈ）とＦＡＣＣＨ−Ｔとに共にブロック・ダイアゴナル・インタリーブが施される。ここで、ブロック・ダイアゴナル・インタリーブは、誤り訂正符号化後の１Ｓｐｅｅｃｈ−Ｆｒａｍｅ分の信号の半分をＳｐｅｅｃｈ−Ｆｒａｍｅのｎ＋１番目（「Ｓｐｅｅｃｈ−Ｆｒａｍｅ＃ｎ＋１」と表記する。以下同様。）の偶数（Ｅｖｅｎ）ビットに、残り半分の信号をＳｐｅｅｃｈ−Ｆｒａｍｅ＃ｎ＋２の奇数（Ｏｄｄ）ビットに振り分ける信号処理である。
図１では、Ｓｐｅｅｃｈ−Ｆｒａｍｅ＃ｎにおいてＴＣＨ−ＴがＦＡＣＣＨ−Ｔに乗っ取られておらず（以下、「Ｎｏ−Ｓｔｅａｌｉｎｇ」という）、Ｓｐｅｅｃｈ−Ｆｒａｍｅ＃ｎ＋１においてＴＣＨ−ＴのＥｖｅｎビットがＦＡＣＣＨ−ＴのＥｖｅｎビットに乗っ取られ（以下、「Ｅｖｅｎ−Ｓｔｅａｌｉｎｇ」という）、Ｓｐｅｅｃｈ−Ｆｒａｍｅ＃ｎ＋２においてＴＣＨ−ＴのＯｄｄビットがＦＡＣＣＨ−ＴのＯｄｄビットに乗っ取られている（以下、「Ｏｄｄ−Ｓｔｅａｌｉｎｇ」という）。これらのＳｔｅａｌｉｎｇが行われると、Ｓｔｅａｌｉｎｇと伴に送信される信号の誤り訂正符号化処理等が変更されるため、無線受信装置はＳｔｅａｌｉｎｇが行われたことを正確に把握し、その後の誤り訂正復号化処理等を適宜変更する必要がある。
また、図２に、ＴＳＭ方式におけるＦＡＣＣＨ−ＴによるＴＣＨ−Ｔの４Ｓｐｅｅｃｈ−Ｆｒａｍｅ分のＳｔｅａｌｉｎｇの例を示す。図２では、Ｓｐｅｅｃｈ−Ｆｒａｍｅ＃ｎにおいてＥｖｅｎ−Ｓｔｅａｌｉｎｇが行われ、Ｓｐｅｅｃｈ−Ｆｒａｍｅ＃ｎ＋１においてＴＣＨ−ＴのＥｖｅｎビット及びＯｄｄビットが共にＦＡＣＣＨ−ＴのＥｖｅｎビット及びＯｄｄビットに乗っ取られ（以下、「Ｆｕｌｌ−Ｓｔｅａｌｉｎｇ」という）、Ｓｐｅｅｃｈ−Ｆｒａｍｅ＃ｎ＋２においてＦｕｌｌ−Ｓｔｅａｌｉｎｇが行われ、Ｓｐｅｅｃｈ−Ｆｒａｍｅ＃ｎ＋３においてＯｄｄ−Ｓｔｅａｌｉｎｇが行われている。図２に示すように、ＦＡＣＣＨ−ＴによるＴＣＨ−ＴのＳｔｅａｌｉｎｇは、複数のＳｐｅｅｃｈ−Ｆｒａｍｅに渡って連続的に行われる場合もある。
従って、ＴＳＭ方式の無線通信方法では、特定のＳｐｅｅｃｈ−ＦｒａｍｅにおけるＳｔｅａｌｉｎｇの状態は４つ存在し、回線交換モードでのそれぞれの状態が図３に示す４つのビットパターン即ち「００」、「０１」、「１０」及び「１１」で表現される。なお、Ｓｔｅａｌｉｎｇの状態は、図４に示すＴＳＭ方式のトラフィックバーストにおけるＳｔｅａｌｉｎｇ−Ｆｌａｇのデータとして記載される（非特許文献１参照）。
また、これら４つのビットパターンは、基地局装置において４相ＰＳＫ（ＱＰＳＫ）で変調され、ＩＱ位相平面上に図５に示すようにマッピングされる。その後、拡散変調やスクランブリング等の処理が施されて送信される。従って、受信側無線通信装置においては、送信されてくる信号のＳｐｅｅｃｈ−Ｆｒａｍｅ毎のＳｔｅａｌｉｎｇ−Ｆｌａｇを軟判定した後に、その軟判定値を例えば図６に示す境界線を設けて４つの候補のいずれかに硬判定することにより、そのＳｐｅｅｃｈ−ＦｒａｍｅのＳｔｅａｌｉｎｇの状態が把握される。
しかしながら、Ｓｔｅａｌｉｎｇ−Ｆｌａｇには、例えばＷ−ＣＤＭＡ−ＦＤＤ，ＴＤＤ  １．２８Ｍｃｐｓ  ＯｐｔｉｏｎにおけるＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）のＲｅｅｄ−Ｍｕｌｌｅｒ−Ｃｏｄｉｎｇのような誤り訂正は適用されていない。そのため、受信側無線通信装置において、Ｓｔｅａｌｉｎｇ−Ｆｌａｇが正確に把握されなくなる危険性が比較的高い。そして、Ｓｔｅａｌｉｎｇ−Ｆｌａｇが誤って硬判定された場合には、当該Ｓｐｅｅｃｈ−Ｆｒａｍｅで送信されてくる信号が受信側無線通信装置において正確に復号されなくなり、音声の瞬断や緊急制御情報通知の途絶等が発生する問題がある。
【発明の開示】
本発明の目的は、基地局装置から無線受信装置に送信される４相ＰＳＫで変調された信号に含まれるＳｔｅａｌｉｎｇ−Ｆｌａｇについて、無線受信装置におけるＳｔｅａｌｉｎｇ−Ｆｌａｇの硬判定の判定精度を高めるＴＳＭ方式の無線通信方法、並びにこの方法で使用される無線通信システム、無線受信装置及び基地局装置を提供することである。
本発明の一形態によれば、ＴＳＭ方式の無線通信方法は、４相ＰＳＫで変調された信号を送信する送信ステップと、送信された前記信号を受信する受信ステップと、前記受信ステップにおける受信信号を復調する復調ステップと、復調された前記受信信号に含まれるＳｔｅａｌｉｎｇ−ＦｌａｇをＳｐｅｅｃｈ−Ｆｒａｍｅ毎に軟判定する軟判定ステップと、前回の前記Ｓｐｅｅｃｈ−Ｆｒａｍｅの前記Ｓｔｅａｌｉｎｇ−Ｆｌａｇについての硬判定値が存在しないと見なされるときには、今回の前記Ｓｐｅｅｃｈ−Ｆｒａｍｅについての前記軟判定ステップにおける軟判定値を４相ＰＳＫで４つの候補のいずれかに硬判定する第１の硬判定ステップと、前回の前記Ｓｐｅｅｃｈ−Ｆｒａｍｅの前記Ｓｔｅａｌｉｎｇ−Ｆｌａｇについての前記硬判定値が存在すると見なされるときには、前記硬判定値に応じて今回の前記Ｓｐｅｅｃｈ−Ｆｒａｍｅについての前記軟判定ステップにおける前記軟判定値を２相ＰＳＫで２つの候補のいずれかに硬判定する第２の硬判定ステップと、前記第１の硬判定ステップ又は前記第２の硬判定ステップにおける今回の前記Ｓｐｅｅｃｈ−Ｆｒａｍｅの前記Ｓｔｅａｌｉｎｇ−Ｆｌａｇについての前記硬判定値に応じて今回の前記Ｓｐｅｅｃｈ−Ｆｒａｍｅの前記受信信号を復号する復号ステップと、を具備する。
本発明の他の形態によれば、ＴＳＭ方式の無線通信システムは、４相ＰＳＫで変調された信号を送信する送信手段を備える基地局装置と、送信された前記信号を受信する受信手段と、受信信号を復調する復調手段と、復調された前記受信信号に含まれるＳｔｅａｌｉｎｇ−ＦｌａｇをＳｐｅｅｃｈ−Ｆｒａｍｅ毎に軟判定する軟判定手段と、前回の前記Ｓｐｅｅｃｈ−Ｆｒａｍｅの前記Ｓｔｅａｌｉｎｇ−Ｆｌａｇについての硬判定値が存在しないと見なされるときには、今回の前記Ｓｐｅｅｃｈ−Ｆｒａｍｅの前記Ｓｔｅａｌｉｎｇ−Ｆｌａｇについての前記軟判定手段による軟判定値を４相ＰＳＫで４つの候補のいずれかに硬判定し、或いは前回の前記Ｓｐｅｅｃｈ−Ｆｒａｍｅの前記Ｓｔｅａｌｉｎｇ−Ｆｌａｇについての前記硬判定値が存在すると見なされるときには、前記硬判定値に応じて今回の前記Ｓｐｅｅｃｈ−Ｆｒａｍｅの前記Ｓｔｅａｌｉｎｇ−Ｆｌａｇについての前記軟判定手段による前記軟判定値を２相ＰＳＫで２つの候補のいずれかに硬判定する硬判定手段と、今回の前記Ｓｐｅｅｃｈ−Ｆｒａｍｅの前記Ｓｔｅａｌｉｎｇ−Ｆｌａｇについての前記硬判定値に応じて今回の前記Ｓｐｅｅｃｈ−Ｆｒａｍｅの前記受信信号を復号する復号手段と、を備える無線受信装置と、を具備する。
本発明のさらに他の形態によれば、ＴＳＭ方式の無線受信装置は、４相ＰＳＫで変調された信号を受信する受信手段と、受信信号を復調する復調手段と、復調された前記受信信号に含まれるＳｔｅａｌｉｎｇ−ＦｌａｇをＳｐｅｅｃｈ−Ｆｒａｍｅ毎に軟判定する軟判定手段と、前回の前記Ｓｐｅｅｃｈ−Ｆｒａｍｅの前記Ｓｔｅａｌｉｎｇ−Ｆｌａｇについての硬判定値が存在しないと見なされるときには、今回の前記Ｓｐｅｅｃｈ−Ｆｒａｍｅの前記Ｓｔｅａｌｉｎｇ−Ｆｌａｇについての前記軟判定手段による軟判定値を４相ＰＳＫで４つの候補のいずれかに硬判定し、或いは前回の前記Ｓｐｅｅｃｈ−Ｆｒａｍｅの前記Ｓｔｅａｌｉｎｇ−Ｆｌａｇについての前記硬判定値が存在すると見なされるときには、前記硬判定値に応じて今回の前記Ｓｐｅｅｃｈ−Ｆｒａｍｅの前記Ｓｔｅａｌｉｎｇ−Ｆｌａｇについての前記軟判定手段による前記軟判定値を２相ＰＳＫで２つの候補のいずれかに硬判定する硬判定手段と、今回の前記Ｓｐｅｅｃｈ−Ｆｒａｍｅの前記Ｓｔｅａｌｉｎｇ−Ｆｌａｇについての前記硬判定値に応じて今回の前記Ｓｐｅｅｃｈ−Ｆｒａｍｅの前記受信信号を復号する復号手段と、を具備する。
本発明のさらに他の形態によれば、ＴＳＭ方式の基地局装置は、ＴＳＭ方式が回線交換モードの場合において、Ｓｔｅａｌｉｎｇ−Ｆｌａｇのビットパターン「０１」と「１１」とを入れ替えるＳｔＦ入替手段と、前記ビットパターンの入れ替えられた信号を４相ＰＳＫで変調する変調手段と、変調された前記信号を送信する送信手段と、を具備する。
【図面の簡単な説明】  図１は、ＴＳＭ方式におけるＦＡＣＣＨ−ＴによるＴＣＨ−Ｔの２Ｓｐｅｅｃｈ−Ｆｒａｍｅ分のＳｔｅａｌｉｎｇの例を示す図、
図２は、ＴＳＭ方式におけるＦＡＣＣＨ−ＴによるＴＣＨ−Ｔの４Ｓｐｅｅｃｈ−Ｆｒａｍｅ分のＳｔｅａｌｉｎｇの例を示す図、
図３は、特定のＳｐｅｅｃｈ−ＦｒａｍｅにおけるＳｔｅａｌｉｎｇの状態を示す４つのビットパターンを示す図、
図４は、ＴＳＭ方式のトラフィックバーストの構成を示す図、
図５は、Ｓｐｅｅｃｈ−Ｆｒａｍｅ毎のＳｔｅａｌｉｎｇ−Ｆｌａｇについての硬判定で使用されるＩＱ位相平面を示す図、
図６は、Ｓｐｅｅｃｈ−Ｆｒａｍｅ毎のＳｔｅａｌｉｎｇ−Ｆｌａｇについての硬判定で使用されるＩＱ位相平面を示す図、
図７は、本発明の実施の形態１においてＳｐｅｅｃｈ−Ｆｒａｍｅ毎のＳｔｅａｌｉｎｇの状態について可能な遷移を示す図、
図８は、本発明の実施の形態１における硬判定のためのＩＱ位相平面を示す図、
図９は、本発明の実施の形態１に係るＴＳＭ方式の無線通信システムの構成を示す図、
図１０は、本発明の実施の形態１における第１の硬判定ステップと第２の硬判定ステップとの遷移を示す図、
図１１は、本発明の実施の形態２に係るＴＳＭ方式の無線通信システムの構成を示す図、
図１２は、本発明の実施の形態２において特定のＳｐｅｅｃｈ−ＦｒａｍｅにおけるＳｔｅａｌｉｎｇの状態を表す４つのビットパターンを示す図、
図１３は、本発明の実施の形態２においてＳｐｅｅｃｈ−Ｆｒａｍｅ毎のＳｔｅａｌｉｎｇの状態について可能な遷移を示す図、
図１４は、本発明の実施の形態２における硬判定のためのＩＱ位相平面を示す図、である。
【発明を実施するための最良の形態】  以下、本発明の実施の形態に係るＴＳＭ方式の無線通信方法等について、図面を用いて説明する。
（実施の形態１）
図７は、受信信号におけるＳｐｅｅｃｈ−Ｆｒａｍｅ毎のＳｔｅａｌｉｎｇの状態を示す４つのビットパターン「００」、「０１」、「１０」及び「１１」について、前回のＳｐｅｅｃｈ−Ｆｒａｍｅから今回のＳｐｅｅｃｈ−Ｆｒａｍｅへの経過において可能な遷移を矢印（１）から（８）で示す図である。ここで、矢印（１）はＮｏ−Ｓｔｅａｌｉｎｇが継続する場合、矢印（２）はＮｏ−ＳｔｅａｌｉｎｇからＥｖｅｎ−Ｓｔｅａｌｉｎｇに遷移する場合、矢印（３）はＥｖｅｎ−ＳｔｅａｌｉｎｇからＦｕｌｌ−Ｓｔｅａｌｉｎｇに遷移する場合、矢印（４）はＥｖｅｎ−ＳｔｅａｌｉｎｇからＯｄｄ−Ｓｔｅａｌｉｎｇに遷移する場合、矢印（５）はＦｕｌｌ−Ｓｔｅａｌｉｎｇが継続する場合、矢印（６）はＦｕｌｌ−ＳｔｅａｌｉｎｇからＯｄｄ−Ｓｔｅａｌｉｎｇに遷移する場合、矢印（７）はＯｄｄ−ＳｔｅａｌｉｎｇからＮｏ−Ｓｔｅａｌｉｎｇに遷移する場合、矢印（８）はＯｄｄ−ＳｔｅａｌｉｎｇからＥｖｅｎ−Ｓｔｅａｌｉｎｇに遷移する場合を示す。
図７に示すように、前回のＳｐｅｅｃｈ−ＦｒａｍｅのＳｔｅａｌｉｎｇの状態が正確に把握されていれば、今回のＳｐｅｅｃｈ−ＦｒａｍｅにおけるＳｔｅａｌｉｎｇの状態の候補は常に２つとなる。そこで、本発明では、前回のＳｐｅｅｃｈ−ＦｒａｍｅのＳｔｅａｌｉｎｇ−Ｆｌａｇについての硬判定値が存在しないと見なされるとき即ちＳｔｅａｌｉｎｇの状態が正確に把握されていないときには、今回のＳｐｅｅｃｈ−ＦｒａｍｅのＳｔｅａｌｉｎｇ−Ｆｌａｇについての軟判定値を４相ＰＳＫで４つの候補のいずれかに硬判定する（第１の硬判定ステップ）一方、前回のＳｐｅｅｃｈ−ＦｒａｍｅのＳｔｅａｌｉｎｇ−Ｆｌａｇについての硬判定値が存在すると見なされるとき即ちＳｔｅａｌｉｎｇの状態が正確に把握されているときには、その硬判定値即ちＳｔｅａｌｉｎｇの状態に応じて今回のＳｐｅｅｃｈ−ＦｒａｍｅのＳｔｅａｌｉｎｇ−Ｆｌａｇについての軟判定値を２相ＰＳＫで２つの候補のいずれかに硬判定する（第２の硬判定ステップ）。なお、「前回のＳｐｅｅｃｈ−ＦｒａｍｅのＳｔｅａｌｉｎｇ−Ｆｌａｇについての硬判定値が存在しないと見なされるとき」とは、基地局装置から無線受信装置に初めて信号が送信されてくる場合のみならず、伝搬路の変化等によって受信信号を復調できない場合や後に詳述する誤り訂正・復号化された受信信号に誤りが検出されて前回のＳｐｅｅｃｈ−ＦｒａｍｅのＳｔｅａｌｉｎｇの状態が正確でないと見なされる場合も含まれる。また、「前回のＳｐｅｅｃｈ−ＦｒａｍｅのＳｔｅａｌｉｎｇ−Ｆｌａｇについての硬判定値が存在すると見なされるとき」とは、前記「前回のＳｐｅｅｃｈ−ＦｒａｍｅのＳｔｅａｌｉｎｇ−Ｆｌａｇについての硬判定値が存在しないと見なされるとき」を除いた場合であって、Ｓｐｅｅｃｈ−ＦｒａｍｅのＳｔｅａｌｉｎｇ−Ｆｌａｇについての硬判定値の現実の存在とは必ずしも一致しない。
図８に、前回のＳｐｅｅｃｈ−ＦｒａｍｅのＳｔｅａｌｉｎｇ−Ｆｌａｇについての硬判定値が存在すると見なされるときに、その硬判定値即ち前回のＳｐｅｅｃｈ−ＦｒａｍｅのＳｔｅａｌｉｎｇの状態に応じて、今回のＳｐｅｅｃｈ−ＦｒａｍｅのＳｔｅａｌｉｎｇ−Ｆｌａｇについての軟判定値を２相ＰＳＫで２つの候補のいずれかに硬判定するために設けられる境界線及びその硬判定値の２つの候補をＩＱ位相平面上に示す。図８（Ａ）は前回のＳｐｅｅｃｈ−ＦｒａｍｅのＳｔｅａｌｉｎｇ−Ｆｌａｇについての硬判定値が「００」の場合、図８（Ｂ）は前回のＳｐｅｅｃｈ−ＦｒａｍｅのＳｔｅａｌｉｎｇ−Ｆｌａｇについての硬判定値が「０１」の場合、図８（Ｃ）は前回のＳｐｅｅｃｈ−ＦｒａｍｅのＳｔｅａｌｉｎｇ−Ｆｌａｇについての硬判定値が「１０」の場合、並びに図８（Ｄ）は前回のＳｐｅｅｃｈ−ＦｒａｍｅのＳｔｅａｌｉｎｇ−Ｆｌａｇについての硬判定値が「１１」の場合を示したものである。
図６と比較すれば、図８（Ａ）から（Ｄ）では、境界線が１本となって硬判定値の２つの候補それぞれに許容される領域が拡大していることが判る。即ち、本実施の形態によれば、第２の硬判定ステップにおいて、ＩＱ位相平面上での硬判定値の各候補の許容領域が拡大するため、その硬判定精度を高めることができる。
図９に、本実施の形態に係る無線受信装置１１０及び基地局装置１５０を具備するＴＳＭ方式の無線通信システムの構成を示す。無線受信装置１１０は、アンテナ素子１１１、アンテナスイッチ１１２、受信部１１３、復調部１１４、軟判定部１１５、硬判定部１１６、デ・インタリーバ１１７、誤り訂正・復号部１１８、制御部１１９及び送信部１２１を具備する。また、基地局装置１５０は、アンテナ素子１５１、アンテナスイッチ１５２、受信部１５３、制御部１５４、誤り訂正・符号化部１５５、インタリーバ１５６、変調部１５７及び送信部１５８を具備する。
アンテナ素子１１１は、基地局装置１５０から伝搬路を介して送信されてくる４相ＰＳＫで変調された無線信号を捕捉してアンテナスイッチ１１２に入力する。また、アンテナ素子１１１は、アンテナスイッチ１１２から入力されてくる信号を基地局装置１５０に向けて出力する。
アンテナスイッチ１１２は、無線受信装置１１０の下り回線に割り当てられたタイムスロットでは、アンテナ素子１１１で捕捉された信号を受信部１１３に入力し、無線受信装置１１０の上り回線に割り当てられたタイムスロットでは、送信部１２１から入力されてくる信号をアンテナ素子１１１に入力する。
受信部１１３は、バンドパスフィルタや増幅器等を具備し、アンテナスイッチ１１２から入力されてくる受信信号に公知の受信用信号処理を施した後に、その受信信号を復調部１１４に入力する。
復調部１１４は、受信部１１３から入力されてくる受信信号を復調し、復調されたＳｔｅａｌｉｎｇ−Ｆｌａｇを軟判定部１１５に入力し、復調された受信信号のデータ部をデ・インタリーバ１１７に入力する。
軟判定部１１５は、復調されたＳｔｅａｌｉｎｇ−ＦｌａｇをＳｐｅｅｃｈ−Ｆｒａｍｅ毎に軟判定し、その軟判定値をＳｐｅｅｃｈ−Ｆｒａｍｅ毎に硬判定部１１６に順次入力する。
硬判定部１１６は、Ｓｐｅｅｃｈ−Ｆｒａｍｅ毎のＳｔｅａｌｉｎｇ−Ｆｌａｇの軟判定値を順次硬判定し、それらの硬判定値を誤り訂正・復号部１１８に入力する。硬判定において、硬判定部１１６は、前回のＳｐｅｅｃｈ−ＦｒａｍｅのＳｔｅａｌｉｎｇ−Ｆｌａｇについての硬判定値が存在しないと見なされるときには、今回のＳｐｅｅｃｈ−ＦｒａｍｅのＳｔｅａｌｉｎｇ−Ｆｌａｇについての軟判定値を図６に示す４相ＰＳＫで４つの候補のいずれかに硬判定する一方、前回のＳｐｅｅｃｈ−ＦｒａｍｅのＳｔｅａｌｉｎｇ−Ｆｌａｇについての硬判定値が存在すると見なされるときには、図８に示すようにその硬判定値に応じて今回のＳｐｅｅｃｈ−ＦｒａｍｅのＳｔｅａｌｉｎｇ−Ｆｌａｇについての軟判定値を２相ＰＳＫで２つの候補のいずれかに硬判定する。また、硬判定部１１６は、今回のＳｐｅｅｃｈ−ＦｒａｍｅのＳｔｅａｌｉｎｇ−Ｆｌａｇについての硬判定の際に、前回のＳｐｅｅｃｈ−ＦｒａｍｅのＳｔｅａｌｉｎｇ−Ｆｌａｇについての硬判定値を必要とすることから、前回のＳｐｅｅｃｈ−ＦｒａｍｅのＳｔｅａｌｉｎｇ−Ｆｌａｇについての硬判定値を保持するメモリを備える。この硬判定部１１６に具備されるメモリは、Ｓｐｅｅｃｈ−Ｆｒａｍｅ＃ｎのＳｔｅａｌｉｎｇ−Ｆｌａｇの硬判定値をその正誤に関わらず記録し、Ｓｐｅｅｃｈ−Ｆｒａｍｅ＃ｎ＋１のＳｔｅａｌｉｎｇ−Ｆｌａｇについての硬判定が終了するまで保持する。また、このメモリは、後述するように制御部１１９から復号された後の受信信号のデータ部に誤りが検出された旨の通知を受けると、対応するＳｐｅｅｃｈ−ＦｒａｍｅのＳｔｅａｌｉｎｇ−Ｆｌａｇについての硬判定値を直ちに破棄して、そのＳｐｅｅｃｈ−ＦｒａｍｅのＳｔｅａｌｉｎｇ−Ｆｌａｇについての硬判定値が存在しないと見なされるようにする。
デ・インタリーバ１１７は、復調部１１４から入力されてくる前記受信信号のデータ部に関してデ・インターブを施す。そして、デ・インタリーバ１１７は、デ・インタリーブされた受信信号をＳｐｅｅｃｈ−Ｆｒａｍｅ毎に誤り訂正・復号部１１８に入力する。
誤り訂正・復号部１１８は、硬判定部１１６から入力されてくるＳｐｅｅｃｈ−Ｆｒａｍｅ毎のＳｔｅａｌｉｎｇ−Ｆｌａｇについての硬判定値に基づいて、デ・インタリーバ１１７から入力されてくる受信信号のデータ部に関してその誤り訂正・復号化方式を判定し、判定された誤り訂正・復号化方式に応じて前記受信信号のデータ部に関して誤り訂正・復号化処理を施す。また、誤り訂正・復号部１１８は、例えばこの受信信号に予め付加されたＣＲＣ（巡回冗長符号）を判定することによって、誤り訂正・復号化処理を施された受信信号のデータ部に依然として残存する誤りを検出する。そして、誤り訂正・復号部１１８は、Ｓｐｅｅｃｈ−Ｆｒａｍｅ毎の誤り検出結果を制御部１１９に入力する。
制御部１１９は、誤り訂正・復号部１１８から入力されてくるＳｐｅｅｃｈ−Ｆｒａｍｅ毎の誤り検出結果に応じて、基地局装置１５０への再送信要求信号等を生成する。また、制御部１１９は、誤り訂正・復号部１１８から誤り訂正・復号化処理された後の受信信号のデータ部に誤りが検出されたときには、対応するＳｐｅｅｃｈ−Ｆｒａｍｅの硬判定値を直ちに破棄するよう硬判定部１１６に通知する。
送信部１２１は、制御部１１９から入力されてくる信号に変調及び増幅等の公知の送信用信号処理を施した後に、これらの処理を施された信号をアンテナスイッチ１１２に入力する。
アンテナ素子１５１は、無線受信装置から送信されてくる無線信号を捕捉してアンテナスイッチ１５２に入力すると伴に、アンテナスイッチ１５２から入力されてくる４相ＰＳＫで変調された信号を無線受信装置１１０に向けて出力する。
アンテナスイッチ１５２は、上り回線に割り当てられたタイムスロットでは、アンテナ素子１５１によって捕捉された信号を受信部１５３に入力し、下り回線に割り当てられたタイムスロットでは、送信部１５８から入力されてくる４相ＰＳＫで変調された信号をアンテナ素子１５１に入力する。
受信部１５３は、バンドパスフィルタや増幅器等を具備し、アンテナスイッチ１５２から入力されてくる受信信号に公知の受信用信号処理を施して、各処理が施された受信信号を制御部１５４に入力する。
制御部１５４は、受信部１１３から入力されてくる受信信号に応じて、無線受信装置１１０に送信するＳｐｅｅｃｈ−Ｆｒａｍｅ等を判定し、その判定結果に基づいて誤り訂正・符号化方式やインタリーブ方式等を決定する。そして、制御部１５４は、この決定を誤り訂正・符号化部１５５及びインタリーバ１５６にそれぞれ入力する。
誤り訂正・符号化部１５５は、制御部１５４から入力されてくる決定に応じて、再送信用信号又は新規送信用信号を生成し、生成された信号に前記決定により指定された方式の誤り訂正・符号化処理を施す。そして、誤り訂正・符号化部１５５は、所定の方式で誤り訂正・符号化処理された信号をインタリーバ１５６に入力する。
インタリーバ１５６は、誤り訂正・符号化部１５５から入力されてくる信号に制御部１５４から入力されてくる決定に応じた方式によるインタリーブ処理を施す。そして、インタリーバ１５６は、インタリーブ処理を施された信号を変調部１５７に入力する。
変調部１５７は、インタリーバ１５６から入力されてくる信号を４相ＰＳＫで変調し、変調された信号を送信部１５８に入力する。
送信部１５８は、４相ＰＳＫで変調された信号に増幅及びＤ／Ａ変換等の公知の送信用信号処理を施した後に、これらの処理を施された信号をアンテナスイッチ１５２に入力する。
次いで、本実施の形態に係るＴＳＭ方式の無線受信装置における硬判定部１１６の動作について具体的に説明する。図１０に、軟判定部１１５から入力されてくるＳｐｅｅｃｈ−Ｆｒａｍｅ毎のＳｔｅａｌｉｎｇ−Ｆｌａｇについての軟判定値を硬判定するときにおいて、４相ＰＳＫで４つの候補のいずれかに硬判定する場合（第１の硬判定ステップ）と２相ＰＳＫで２つの候補のいずれかに硬判定する場合（第２の硬判定ステップ）との遷移を矢印（１１）から矢印（１４）で示す。矢印（１１）は、Ｓｐｅｅｃｈ−Ｆｒａｍｅ＃ｎのＳｔｅａｌｉｎｇ−Ｆｌａｇについての軟判定値を４相ＰＳＫで４つの候補のいずれかに硬判定し、Ｓｐｅｅｃｈ−Ｆｒａｍｅ＃ｎ＋１のＳｔｅａｌｉｎｇ−Ｆｌａｇについての軟判定値も引き続き４相ＰＳＫで４つの候補のいずれかに硬判定する場合を示す。矢印（１１）の具体的態様としては、Ｓｐｅｅｃｈ−Ｆｒａｍｅ＃ｎ−１及びＳｐｅｅｃｈ−Ｆｒａｍｅ＃ｎについての誤り訂正・復号化処理を施された受信信号のデータ部に誤りが検出される場合が例示される。また、矢印（１２）は、Ｓｐｅｅｃｈ−Ｆｒａｍｅ＃ｎのＳｔｅａｌｉｎｇ−Ｆｌａｇについての軟判定値を４相ＰＳＫで４つの候補のいずれかに硬判定し、Ｓｐｅｅｃｈ−Ｆｒａｍｅ＃ｎ＋１のＳｔｅａｌｉｎｇ−Ｆｌａｇについての軟判定値を２相ＰＳＫで２つの候補のいずれかに硬判定する場合を示す。矢印（１２）の具体的態様としては、無線受信装置１１０が初めて受信したＳｐｅｅｃｈ−Ｆｒａｍｅ＃１のＳｔｅａｌｉｎｇ−Ｆｌａｇについての硬判定値に誤りがなく、かつ、Ｓｐｅｅｃｈ−Ｆｒａｍｅ＃１についての誤り訂正・復号部１１８における誤り訂正・復号化処理後の受信信号のデータ部にも誤りが検出されない場合が例示される。また、矢印（１３）は、Ｓｐｅｅｃｈ−Ｆｒａｍｅ＃ｎのＳｔｅａｌｉｎｇ−Ｆｌａｇについての軟判定値を２相ＰＳＫで２つの候補のいずれかに硬判定し、Ｓｐｅｅｃｈ−Ｆｒａｍｅ＃ｎ＋１のＳｔｅａｌｉｎｇ−Ｆｌａｇについての軟判定値も引き続き２相ＰＳＫで２つの候補のいずれかに硬判定する場合を示す。矢印（１３）の具体的態様としては、Ｓｐｅｅｃｈ−Ｆｒａｍｅ＃ｎ−１及びＳｐｅｅｃｈ−Ｆｒａｍｅ＃ｎのＳｔｅａｌｉｎｇ−Ｆｌａｇについての硬判定値が現実に存在し、かつ、Ｓｐｅｅｃｈ−Ｆｒａｍｅ＃ｎ−１及びＳｐｅｅｃｈ−Ｆｒａｍｅ＃ｎについての誤り訂正・復号化処理後の受信信号のデータ部に誤りが検出されない場合が例示される。また、矢印（１４）は、Ｓｐｅｅｃｈ−Ｆｒａｍｅ＃ｎのＳｔｅａｌｉｎｇ−Ｆｌａｇについての軟判定値を２相ＰＳＫで２つの候補のいずれかに硬判定し、Ｓｐｅｅｃｈ−Ｆｒａｍｅ＃ｎ＋１のＳｔｅａｌｉｎｇ−Ｆｌａｇについての軟判定値を４相ＰＳＫで４つの候補のいずれかに硬判定する場合を示す。矢印（１４）の具体的態様としては、Ｓｐｅｅｃｈ−Ｆｒａｍｅ＃ｎの誤り訂正・復号化処理を施された受信信号のデータ部に初めて誤りが検出される場合が例示される。
このように本実施の形態に係るＴＳＭ方式の無線通信方法及び無線通信システムによれば、前回のＳｐｅｅｃｈ−ＦｒａｍｅについてのＳｔｅａｌｉｎｇ−Ｆｌａｇの硬判定値が存在すると見なされるときには、この硬判定値に応じて今回のＳｐｅｅｃｈ−ＦｒａｍｅのＳｔｅａｌｉｎｇ−Ｆｌａｇについての軟判定値を２相ＰＳＫで２つの候補のいずれかに硬判定するため、Ｓｔｅａｌｉｎｇ−Ｆｌａｇの送受信処理が複数のＳｐｅｅｃｈ−Ｆｒａｍｅに渡って連続的に行われることを利用して、Ｓｔｅａｌｉｎｇ−Ｆｌａｇの硬判定精度を高めることができる。
また、本実施の形態に係るＴＳＭ方式の無線通信方法及び無線通信システムによれば、Ｓｐｅｅｃｈ−Ｆｒａｍｅ＃ｎについての誤り訂正・復号化処理を施された受信信号のデータ部に誤りが検出されたときには、Ｓｐｅｅｃｈ−Ｆｒａｍｅ＃ｎについてのＳｔｅａｌｉｎｇ−Ｆｌａｇの硬判定値が存在しないと見なし、Ｓｐｅｅｃｈ−Ｆｒａｍｅ＃ｎ＋１のＳｔｅａｌｉｎｇ−Ｆｌａｇについての軟判定値を従来通り４相ＰＳＫで４つの候補のいずれかに硬判定するため、Ｓｐｅｅｃｈ−Ｆｒａｍｅ＃ｎについてのＳｔｅａｌｉｎｇ−Ｆｌａｇについての硬判定値が誤っていた場合にＳｐｅｅｃｈ−Ｆｒａｍｅ＃ｎ＋１のＳｔｅａｌｉｎｇ−Ｆｌａｇについて、誤った２つの候補のいずれかに硬判定してしまうことを防ぐことができる。
なお、本実施の形態に係るＴＳＭ方式の無線受信装置１１０では、誤り訂正・復号部１１８において誤り訂正・復号化処理を施された受信信号のデータ部に誤りが検出されたときには、その誤りが検出されたＳｐｅｅｃｈ−ＦｒａｍｅのＳｔｅａｌｉｎｇ−Ｆｌａｇについての硬判定値を破棄するように制御部１１９が硬判定部１１６に通知する場合について説明したが、本発明はこの場合に限定されるものではなく、例えば誤り訂正・復号部１１８において誤り訂正・復号化処理を施された受信信号のデータ部に誤りが検出されても硬判定部１１６に前記通知がされないようにしてもよい。このようにすれば、ＴＳＭ方式の無線受信装置１１０において、フィードバック制御のために要求される信号処理の負荷を軽減することができる。
（実施の形態２）
図１１は、本発明の実施の形態２に係るＴＳＭ方式の無線通信システムの構成を示すブロック図である。本実施の形態に係るＴＳＭ方式の無線通信システムは、実施の形態１に係るＴＳＭ方式の無線通信システムにおける基地局装置１５０の代わりに、基地局装置１５０におけるインタリーバ１５６と変調部１５７との間にＳｔＦ入替部１５９を付加した基地局装置５５０を具備するものである。従って、本実施の形態に係るＴＳＭ方式の無線通信システムの多くの構成部は、実施の形態１に係るＴＳＭ方式の無線通信システムの各構成部と同様の機能を発揮する。そこで、以下に本実施の形態に係るＴＳＭ方式の無線通信システムの構成及び動作について説明するが、実施の形態１に係るＴＳＭ方式の無線通信システムの各構成部と同様の機能を発揮する構成部については、同一の参照符号を付してその説明を省略する。
ＳｔＦ入替部１５９は、汎用のメモリ及び論理回路で構成され、ＴＳＭ方式が回線交換モードの場合において、インタリーバ１５６から入力されてくるブロック・ダイアゴナル・インタリーブされた信号のＳｔｅａｌｉｎｇ−Ｆｌａｇの４つのビットパターンの内「０１」と「１１」とを入れ替え、このビットパターンが入れ替えられた信号を変調部１５７に入力する。従って、ＳｔＦ入替部１５９から変調部１５７に入力される信号について、Ｓｐｅｅｃｈ−Ｆｒａｍｅ毎のＳｔｅａｌｉｎｇ−Ｆｌａｇに記載される４つのビットパターンとＳｔｅａｌｉｎｇの状態との対応関係は、図１２に示す態様となる。なお、図１２では、入れ替えられたビットパターンに下線を付している。
変調部１５７に入力された信号は、４相ＰＳＫで変調された後に無線受信装置１１０に向けて出力される。無線受信装置１１０では、受信信号のＳｐｅｅｃｈ−Ｆｒａｍｅ毎のＳｔｅａｌｉｎｇ−Ｆｌａｇについての軟判定値に対して実施の形態１と同様に第１の硬判定ステップ又は第２の硬判定ステップが実施される。
しかし、本実施の形態では、上述の通り受信信号に含まれるＳｔｅａｌｉｎｇ−Ｆｌａｇの４つのビットパターンの内「０１」と「１１」とが入れ替えられていることから、Ｓｐｅｅｃｈ−Ｆｒａｍｅ毎のＳｔｅａｌｉｎｇの状態について可能な遷移を示すと、図１３の態様となる。
そこで、本実施の形態では、硬判定部１１６による第２の硬判定ステップにおいて、前回のＳｐｅｅｃｈ−ＦｒａｍｅにおけるＳｔｅａｌｉｎｇ−Ｆｌａｇについての硬判定値のビットパターンが「００」のときには、今回のＳｐｅｅｃｈ−ＦｒａｍｅのＳｔｅａｌｉｎｇ−Ｆｌａｇについての軟判定値をビットパターン「００」又は「１１」のいずれかに２相ＰＳＫで硬判定し、また前回のＳｐｅｅｃｈ−ＦｒａｍｅにおけるＳｔｅａｌｉｎｇ−Ｆｌａｇについての硬判定値のビットパターンが「０１」のときには、今回のＳｐｅｅｃｈ−ＦｒａｍｅのＳｔｅａｌｉｎｇ−Ｆｌａｇについての軟判定値をビットパターン「１０」又は「０１」のいずれかに２相ＰＳＫで硬判定し、また前回のＳｐｅｅｃｈ−ＦｒａｍｅにおけるＳｔｅａｌｉｎｇ−Ｆｌａｇについての硬判定値のビットパターンが「１０」のときには、今回のＳｐｅｅｃｈ−ＦｒａｍｅのＳｔｅａｌｉｎｇ−Ｆｌａｇについての軟判定値をビットパターン「００」又は「１１」のいずれかに２相ＰＳＫで硬判定し、また前回のＳｐｅｅｃｈ−ＦｒａｍｅにおけるＳｔｅａｌｉｎｇ−Ｆｌａｇについての硬判定値のビットパターンが「１１」のときには、今回のＳｐｅｅｃｈ−ＦｒａｍｅのＳｔｅａｌｉｎｇ−Ｆｌａｇについての軟判定値をビットパターン「１０」又は「０１」のいずれかに２相ＰＳＫで硬判定するようにする。
本実施の形態における第２の硬判定ステップに関して、図１４のＩＱ位相平面上に、前回のＳｐｅｅｃｈ−ＦｒａｍｅのＳｔｅａｌｉｎｇ−Ｆｌａｇについての硬判定値が存在すると見なされるときに、その硬判定値即ち前回のＳｐｅｅｃｈ−ＦｒａｍｅのＳｔｅａｌｉｎｇの状態に応じて、今回のＳｐｅｅｃｈ−ＦｒａｍｅのＳｔｅａｌｉｎｇ−Ｆｌａｇについての軟判定値を２相ＰＳＫで２つの候補のいずれかに硬判定するために設けられる境界線及びその硬判定値の２つの候補を示す。
図１４と図８とを比較すれば明らかなように、本実施の形態によれば、実施の形態１における効果に加えて、受信信号のＳｐｅｅｃｈ−Ｆｒａｍｅ毎のＳｔｅａｌｉｎｇ−Ｆｌａｇについての軟判定値を硬判定するに際して、ＩＱ位相平面上においてその硬判定値の２つの候補の間の位相角を大きく取ることができるため、その硬判定精度を一層高めることができる。
なお、本実施の形態では、ＴＳＭ方式の回線交換モードにおいて、基地局装置５５０のＳｔＦ入替部１５９によってインタリーバ１５６から入力されてくるブロック・ダイアゴナル・インタリーブされた信号のＳｔｅａｌｉｎｇ−Ｆｌａｇの４つのビットパターンの内「０１」と「１１」とを入れ替える場合について説明したが、このビットパターンの入れ替えは、ＴＳＭ方式の規格自体を変更する（ビットパターン「０１」と「１１」とを入れ替える）ことによっても実現可能である。即ち、本実施の形態に係る発明は、ＴＳＭ方式の規格を変更する場合と均等の効果を奏する。
本明細書は、２００３年８月２９日出願の特願２００３−３０７６４６に基づくものである。この内容を全てここに含めておく。
【産業上の利用可能性】  本発明に係るＴＳＭ方式の無線通信方法は、Ｓｐｅｅｃｈ−ＦｒａｍｅについてＳｔｅａｌｉｎｇ−Ｆｌａｇの硬判定精度を高めることができるという効果を有し、ＴＳＭ方式の無線通信方法、並びにこの方法で使用する無線通信システム、無線受信装置及び基地局装置等として有用である。
【図１】
2005022857.tif 000003
【図２】
2005022857.tif 000004
【図３】
2005022857.tif 000005
【図４】
2005022857.tif 000006
【図５】
2005022857.tif 000007
【図６】
2005022857.tif 000008
【図７】
2005022857.tif 000009
【図８】
2005022857.tif 000010
【図９】
2005022857.tif 000011
【図１０】
2005022857.tif 000012
【図１１】
2005022857.tif 000013
【図１２】
2005022857.tif 000014
【図１３】
2005022857.tif 000015
【図１４】
2005022857.tif 000016
【国際調査報告】
2005022857.tif 000017
2005022857.tif 000018
2005022857.tif 000019
2005022857.tif 000020
2005022857.tif 000021
2005022857.tif 000022